(57)【要約】  【課題】１回のプラスチック成型で割り箸、スプーン、フォーク等の食事具を一体化した状態で製造可能とする爪楊枝付き箸と食事用具並びにその製造方法を提供する。【解決手段】プラスチック射出成型により、箸部やスプーン、フォーク等の食事具部と、この食事具部に切り離し容易な接続部を介して結合された爪楊枝部とを一体成型して爪楊枝付き食事具（箸）を得る。【選択図】図１
2008136730.tif 000002
【特許請求の範囲】
【請求項１】
互いに切り離し容易な接続部を介して結合された一対の箸部と、この箸部に切り離し容易な接続部を介して結合された爪楊枝部とがプラスチック材料で一体的に形成されて成ることを特徴とする爪楊枝付き割り箸。
【請求項２】
前記一体化した箸部と爪楊枝部は、複数併設されていることを特徴とする請求項１に記載の爪楊枝付き割り箸。
【請求項３】
食事具と、この食事具部に切り離し容易な接続部を介して結合された爪楊枝部とがプラスチック材料で一体的に形成されて成ることを特徴とする爪楊枝付き食事具。
【請求項４】
前記食事具は、スプーンまたはフォークであることを特徴とする請求項３に記載の爪楊枝付き食事具。
【請求項５】
前記プラスチック材料は、スチレンモノマーを原料とするポリスチレンであることを特徴とする請求１乃至４のいずれかに記載の爪楊枝付き割り箸または爪楊枝付き食事具。
【請求項６】
射出成型されるプラスチック材料の入り口が設けられた射出成型部に結合され、スプールランナー及びゲート口を介して、この食事具と切り離し容易になるような接続部で接続された爪楊枝部の金型にプラスチック材料を射出して前記食事具部と爪楊枝部とを一体成型して得ることを特徴とする爪楊枝付き食事具部の製造方法。
【請求項７】
前記食事具は、スプーンまたはフォークであることを特徴とする請求項６に記載の爪楊枝付き食事具の製造方法。
【請求項８】
射出成型されるプラスチック材料の入り口が設けられた射出成型部に結合され、スプールランナー及びゲート口を介して、互いに切り離し容易な接続部で結合された一対の箸部と該箸部と切り離し容易な接続部で接続された爪楊枝部の金型にプラスチック材料を射出して前記一対の箸部と爪楊枝部とを一体成型して得ることを特徴とする爪楊枝付き割り箸の製造方法。
【発明の詳細な説明】
【技術分野】
【０００１】
本発明は爪楊枝付き箸と食事用具並びにその製造方法に関し、特に環境破壊がなくリサイクル容易な爪楊枝付き箸と食事用具並びにその製造方法に関する。
【背景技術】
【０００２】
日本国内においては、低コストで入手でき、廃棄も容易であるためラーメン店等の外食店を始めきわめて多数の割り箸が利用されている。
【０００３】
一方、割り箸は木材を加工して製造される。日本国内では、割り箸は、間伐材や廃材を利用して製造されており、その面では森林破壊等の問題は起こらないと考えても良いものの、実際は日本国内で使用されている割り箸の９５％以上は中国で製造され、日本に輸入されている。中国における木材の調達は、天然林を毎日のように切り倒して、月産２７億個も製造しており、森林破壊として自然保護団体から強く非難を受けている。
【０００４】
このような状況を回避するため箸そのものをプラスチックで作ろうとする試みがなされ、現に製造されている。この種のプラスチック材で作られた箸は、プラスチックがリサイクル利用可能で環境破壊の問題を起こさず、コストも安いため、今後、割り箸に代わる箸として利用される可能性もある。プラスチック箸については特許文献１に開示されている。
【０００５】
【特許文献１】実開昭６３−１９６２０
【発明の開示】
【発明が解決しようとする課題】
【０００６】
しかしながら、従来のプラスチック箸は、割り箸という概念よりも箸の概念が強く、コスト低減のために大量に生産、製造するという観点に欠ける。
【０００７】
また、顧客は食事後に爪楊枝を使うことも多いが、爪楊枝をプラスチックで製造することもあるが、箸と爪楊枝を別々に製造するのでは個々にコストが発生し、また、箸と爪楊枝を別々に卓上におくのも店員にとって煩雑な作業である。
【０００８】
そこで、本発明は、従来技術の上述した課題を解消し、１回のプラスチック成型で箸と爪楊枝を一体化した状態で製造可能とする爪楊枝付き箸と食事用具並びにその製造方法を提供することを主たる目的とする。
【０００９】
本発明の他の目的は、箸だけに限らず食事の際に利用する、例えばスプーンやフォーク等の食事具に爪楊枝を一体化した状態で製造可能とする爪楊枝付き箸と食事用具並びにその製造方法を提供することにある。
【課題を解決するための手段】
【００１０】
前述の課題を解決するため、本発明による爪楊枝付き箸と食事用具並びにその製造方法は、次のような特徴的な構成を採用している。
【００１１】
（１）互いに切り離し容易な接続部を介して結合された一対の箸部と、この箸部に切り離し容易な接続部を介して結合された爪楊枝部とがプラスチック材料で一体的に形成されて成る爪楊枝付き割り箸。
（２）前記一体化した箸部と爪楊枝部は、複数併設されている上記（１）の爪楊枝付き割り箸。
（３）食事具と、この食事具部に切り離し容易な接続部を介して結合された爪楊枝部とがプラスチック材料で一体的に形成されて成る爪楊枝付き食事具。
（４）前記食事具は、スプーンまたはフォークである上記（３）の爪楊枝付き食事具。
（５）前記プラスチック材料は、スチレンモノマーを原料とするポリスチレンである上記（１）乃至（４）のいずれかの爪楊枝付き割り箸または爪楊枝付き食事具。
（６）射出成型されるプラスチック材料の入り口が設けられた射出成型部に結合され、スプールランナー及びゲート口を介して、この食事具と切り離し容易になるような接続部で接続された爪楊枝部の金型にプラスチック材料を射出して前記食事具部と爪楊枝部とを一体成型して得る爪楊枝付き食事具部の製造方法。
（７）前記食事具は、スプーンまたはフォークである上記（６）の爪楊枝付き食事具の製造方法。
（８）射出成型されるプラスチック材料の入り口が設けられた射出成型部に結合され、スプールランナー及びゲート口を介して、互いに切り離し容易な接続部で結合された一対の箸部と該箸部と切り離し容易な接続部で接続された爪楊枝部の金型にプラスチック材料を射出して前記一対の箸部と爪楊枝部とを一体成型して得る爪楊枝付き割り箸の製造方法。
【発明の効果】
【００１２】
本発明の爪楊枝付き箸と食事用具並びにその製造方法によれば、箸と爪楊枝を隣り合わせに一体化した爪楊枝付き割り箸やスプーンやフォークのような食事具を多数同時に一体成型で製造でき、低コストで環境破壊の問題なしで大量生産できる、という格別顕著な効果を奏する。
【実施例】
【００１３】
以下、本発明による爪楊枝付き箸と食事用具並びにその製造方法の好適実施例の構成および動作を、添付図面を参照して詳細に説明する。
【００１４】
先ず、図１は、本発明による爪楊枝付き割り箸及び食事具の好適実施例の要部側面図である。
【００１５】
図１において、一対の箸１Ａと１Ｂ、爪楊枝２から成る成型品を多数一度に射出成型される。射出成型部１０には射出成型される材料としての入り口が設けられ、その先にスプールランナー１１が取り付けられ、ゲート口１２Ａ、１２Ｂを介して一対の箸１Ａ、１Ｂ及び爪楊枝２を形成するための金型が設けられている。射出成型部１０からプラスチック材料を射出して箸１Ａ、１Ｂ部と爪楊枝２部を成型している。プラスチック材料としてはポリスチレン樹脂（食品衛生法適合グレード）を用いているので衛生面の問題はない。ポリスチレンの原料は、スチレンモノマーであり、このスチレンモノマーは焼却すると炭酸ガスと水に変化し、塩素を含まないので理論的にはダイオキシンも発生せず環境面でも問題がない。箸１Ａと箸１Ｂ及び爪楊枝２と箸１Ａは切り離し容易な接続部２１Ａと２１Ｂでそれぞれ結合されており、使用時にこれらは切り離される。
【００１６】
一対の箸の端部には、簡単に両者を切り離し可能なような接続部が形成され、また、爪楊枝部と箸部１Ａとの間も同様な接続部が形成されている。
【００１７】
箸部１Ａ、１Ｂの表面は、細かい凹凸形状としたり、細い溝や突起部を多数縦方向に形成して滑り止め効果を与えることによりプラスチック材料特有の滑りの問題を解消している。
【００１８】
ところで、箸のような食事に使う食事具としては、箸に限らず、スプーンやフォークがある。本発明は、かかるスプーンやフォークにも適用できる。
【００１９】
図２にはスプーン３に爪楊枝２を結合して一体成型した実施例で、図１のスプールランナー１０、ゲート口１２Ａ、１２Ｂを介してフォーク３や爪楊枝２の金型にプラスチック材料が射出される。
【００２０】
また、図３にはフォーク４に爪楊枝２を結合して一体成型した実施例で、図１のスプールランナー１０、ゲート口１２Ａ、１２Ｂを介してフォーク３や爪楊枝２の金型にプラスチック材料が射出される。
【００２１】
以上、本発明による爪楊枝付き箸と食事用具並びにその製造方法の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００２２】
【図１】本発明による爪楊枝付き割り箸の好適実施例の構成を示す要部側面図である。
【図２】本発明による爪楊枝付き食事具の他の実施例を示す要部側面図でスプーン３に爪楊枝２を結合して一体成型した実施例である。
【図３】本発明による爪楊枝付き食事具の更に他の実施例を示す要部側面図でフォーク４スプーン３に爪楊枝２を結合して一体成型した実施例である。
【符号の説明】
【００２３】
１Ａ、１Ｂ      一対の箸
２              爪楊枝
３              スプーン
４              フォーク
１０            射出成型部
１１            スプールランナー
１２Ａ、１２Ｂ  ゲート口
【図１】
2008136730.tif 000003
【図２】
2008136730.tif 000004
【図３】
2008136730.tif 000005